(57)【特許請求の範囲】
【請求項１】
用紙の排出機能を備えた用紙排出部材と、
該用紙排出部材の内壁面から用紙の出口位置の一部または全部に配置した透明もしくは半透明の素材からなるＬＥＤ導光管部材と、
該ＬＥＤ導光管部材に取り付けたＬＥＤ発光ユニットとを備え、
ＬＥＤ発光ユニットの光を前記ＬＥＤ導光管部材の導光管を経由して用紙の出口位置に導き、
前記用紙排出部材の用紙の出口位置を発光させるようにしたＬＥＤ発光機能付ベゼルにおいて、
前記ＬＥＤ発光ユニットに、用紙検出用のフォトインタラプタが実装されていることを特徴とするＬＥＤ発光機能付ベゼル。
【請求項２】
前記ＬＥＤ発光ユニットに、用紙検出用のフォトインタラプタとして透過型フォトインタラプタを使用するとともに、
前記用紙排出部材に取り付けた用紙の挿入によって回動するレバーが透過型フォトインタラプタの光を適宜遮断するようにしたことを特徴とする請求項１に記載のＬＥＤ発光機能付ベゼル。
【発明の詳細な説明】
【技術分野】
【０００１】
この発明は、プリンタ機構の用紙排出口に設置される用紙排出ガイド（以下ベゼルという）の改良に関し、ＬＥＤ発光機能を持たせて用紙の出口位置や発券中である等のお知らせ機能を発揮できるようにしたＬＥＤ発光機能付ベゼルに関するものである。
【背景技術】
【０００２】
従来の発光機能付ベゼルは、ベゼル本体を透明な樹脂等の部材で形成するとともに、ＬＥＤの発光ユニットを用紙排出口から離れた用紙挿入口の近傍に配置していた。
【０００３】
し かしながら、ベゼルの用紙排出口を発券システムに組み込んだ場合、プリンタはシステムの中に設置され、その用紙排出口のみが外部に現れるように構成する。 この場合、ＬＥＤはシステム内部で発光しているため外部からは見えにくくなっており、ＬＥＤの点灯で用紙の出口位置や発券中である等のお知らせ機能を十分 に果たしていなかった。
また、システムによっては、ＬＥＤ発光機能のないプリンタを使用し、システムの筐体に開けられた発券口の周囲が発光するようにして、同等の機能を使用できるようにしていたため、コストアップのもとになっていた。
【先行技術文献】
【特許文献】
【０００４】
【特許文献１】特開２００８−６８９５０９号公報
【特許文献２】特開２００２−５２７７８号公報
【特許文献３】特開２０００−２８０５８５号公報
【特許文献４】特開２００３−３２６７８８号公報
【発明の開示】
【発明が解決しようとする課題】
【０００５】
ベゼルを発券システムの用紙排出口に組み込んだ場合、プリンタ機構はシステムの中に設置され、その用紙排出口のみが外部に現れるように構成している。
この場合、ＬＥＤの発光ユニットはシステム内部で発光しているため、外部からは見えにくくなっており、このようなＬＥＤの発光ユニットの点灯では用紙の出口位置や発券中である等のお知らせ機能を十分に果たしていなかった。
また、発券システムによってはＬＥＤ発光機能のないプリンタを使用し、発券システムの筐体に開けられた発券口の周囲に発光機構を設置して、用紙の出口位置や発券中である等のお知らせ機能を発揮できるようにしていたため、コストアップの原因となっていた。
【０００６】
この発明は従来例の欠点を解消するため、ＬＥＤ発光ユニットをベゼルに内蔵させてプリンタ機構に取り付けたベゼルの用紙の出口位置の先端面を発光させることにより、用紙の出口位置を確実に視認することができ、かつ発券中である等のお知らせ機能を備えたＬＥＤ発光機能付きベゼルを提供するものである。
【課題を解決するための手段】
【０００７】
すなわちこの発明のＬＥＤ発光機能付ベゼルは、用紙の排出機能を備えた用紙排出部材と、該用紙排出部材の内壁面から用紙の出口位置の一部または全部に配置した透明もしくは半透明の素材からなるＬＥＤ導光管部材と、該ＬＥＤ導光管部材に取り付けたＬＥＤ発光ユニットとを備え、ＬＥＤ発光ユニットの光を前記ＬＥＤ導光管部材の導光管を経由して用紙の出口位置に導き、前記用紙排出部材の用紙の出口位置を発光させるようにしたＬＥＤ発光機能付ベゼルにおいて、前記ＬＥＤ発光ユニットに、用紙検出用のフォトインタラプタが実装されていることを特徴とするものである。
【０００８】
この発明のＬＥＤ発光機能付ベゼルは、前記ＬＥＤ発光ユニットに、用紙検出用のフォトインタラプタとして透過型フォトインタラプタを使用するとともに、前記用紙排出部材に取り付けた用紙の挿入によって回動するレバーが透過型フォトインタラプタの光を適宜遮断するようにしたことをも特徴とするものである。
【発明の効果】
【０００９】
以上のようにこの発明によれば、ＬＥＤ発光ユニットをベゼルに内蔵させてプリンタ機構に取り付けたベゼルの用紙の出口位置の先端面を発光させることにより、用紙の出口位置を確実に視認することができ、かつ発券中である等のお知らせ機能を備えたＬＥＤ発光機能付きベゼルを提供することが可能となった。
また、ＬＥＤ発光ユニットをベゼルに内蔵させてプリンタ機構に取り付けたので、例えば発券システムの筐体に開けられた発券口の周囲に発光機構を設置して、用紙の出口位置や発券中である等のお知らせ機能を発揮できるようにした場合に比較して、大幅なコストダウンにつなげることができるようになった。
【図面の簡単な説明】
【００１０】
【図１】この発明のＬＥＤ発光機能付きベゼルの１実施形態を示す斜視図である。
【図２】その分解状態の斜視図である。
【図３】ＬＥＤ発光ユニットの１例を示す斜視図である。
【図４】ＬＥＤ発光ユニットの他の例を示す斜視図である。
【図５】ＬＥＤ導光管部材を示す斜視図である。
【図６】この発明のＬＥＤ発光機能付きベゼルにおける用紙検出機構を示し、フォトインタラプタにレバーが組み付けられた用紙検出前の段階の要部切断斜視図である。
【図７】その側面図である。
【図８】この発明のＬＥＤ発光機能付きベゼルにおける用紙検出機構を示し、フォトインタラプタから用紙によってレバーが分離された用紙検出段階の要部切断斜視図である。
【図９】この発明のＬＥＤ発光機能付きベゼルをプリンタに組み込んだ状態を示す斜視図である。
【発明を実施するための形態】
【００１１】
以下この発明に係るＬＥＤ発光機能付きベゼルの実施の形態を図面に基いて詳細に説明する。
図１および図２において、この発明のＬＥＤ発光機能付きベゼル１００は用紙の排出機能を備えた用紙排出部材１を備えている。
前記用紙排出部材１はプリンタの用紙排出口に設置され、用紙を所定の搬送長さで送り出す用紙搬送部１０と、用紙搬送部１０の支持部材２０とを有している。
上記用紙搬送部１０は、プリンタの用紙排出口に連通する用紙導入口１１と、用紙送出口１２と、空洞部１３とで構成されている。用紙送出口１２の上辺に設けた凹部１４は、後述のＬＥＤ導光管部材の端部をはめ込むためのものである。
【００１２】
空洞部１３は、用紙導入口１１から用紙送出口１２に向けて用紙の厚さ方向に沿って先がつぼまるテーパ状で、横長の形状をなしている。
その天板部１３ａには、用紙の出口位置の一部または全部に連続するよう形成された透明もしくは半透明の素材からなるＬＥＤ導光管部材１５が取り付けられている。
【００１３】
また、支持部材２０は、前記用紙搬送部１０の一端部の下方に一体に形成され、複数箇所にビス止め穴２０ａを有する。
このような構造にすることで、プリンタの用紙排出口に本実施例のＬＥＤ発光機能付きベゼルを容易に連結することができる。
【００１４】
前記ＬＥＤ導光管部材１５は、図２および図５に示すように。用紙導入口１１から用紙送出口１２に向けてＬＥＤ発光ユニット収納部１５ａおよび導光管収納部１５ｂが設けられ、幅方向の両端に設けた取付部材１５ｃ、１５ｅを介して前記用紙排出部材１に、素材の弾性を利用して装着するようになっている。
そして、ＬＥＤ発光ユニット１６は前記ＬＥＤ発光ユニット収納部１５ａ内に収められ、前記ＬＥＤ導光管部材１５を前記用紙排出部材１に取付けることにより前記ＬＥＤ発光ユニット１６が動かないように固定される。あるいはＬＥＤ発光ユニット収納部１５ａ内に小ビス等で固定することも可能である。
また、前記ＬＥＤ導光管部材１５内において導光管１８は、用紙の出口位置に向けて扇状となるよう配置され、この扇状導光管１８のかなめ部分に前記ＬＥＤ発光ユニット１６のＬＥＤ１７が位置するように取り付けられている。
【００１５】
この発明のＬＥＤ発光機能付ベゼルにおいて、前記ＬＥＤ発光ユニット１６には図２〜図４に示すように用紙検出用のフォトインタラプタ２１が実装されている。この用紙検出用のフォトインタラプタ２１としては、透過型フォトインタラプタを使用するとともに、前記用紙排出部材１に取り付けた用紙の挿入によって回動するレバー２２がフォトインタラプタ２１の光を適宜遮断するように構成されている。
【００１６】
さらに、前記ＬＥＤ発光ユニット１６において、ＬＥＤ１７の発光色を単色あるいは２色以上を選択して発光できるよう構成してある。図３においては例えば赤と青の一対のＬＥＤ１７ａ，１７ｂをフォトインタラプタ２１の両側に配置してあり、図４においては単体で例えば赤と青の２色以上の発光が可能な単一のＬＥＤ１７ｃをフォトインタラプタ２１の両側に配置してある。
【００１７】
特に、前記ＬＥＤ発光ユニット１６において、用紙３０の有無をベゼル内に設けた前記透過型フォトインタラプタからなるフォトインタラプタ２１およびレバー２２を有する用紙検出機構で検出している。
すなわち、図６および図７に示すように、前記ＬＥＤ発光ユニット１６に取り付けたフォトインタラプタ２１には、前記用紙排出部材１の空洞部１３の下部に軸着したレバー２２がはめ込まれている。該レバー２２は軸着部分２３を挟んで反対側にアーム２４が延長してあり、このアーム２４はその先端において前記用紙排出部材１の適所に設けた取付ピン２５との間に配設したコイルバネ２６によって常時牽引されている。したがって、前記レバー２２は常態においてフォトインタラプタ２１に向けて付勢されている。
用紙３０が前記用紙排出部材１の空洞部１３を通過する際、用紙３０がレバー２２を押し下げるのでレバー２２は図８のようにフォトインタラプタ２１内から押し下げられ、それによって用紙３０の通過が検出される。
【００１８】
そして、前記用紙検出機構による用紙３０の検出、あるいは図示しないがプリンタ３３の用紙通路に設置されている用紙検出機構による用紙検出情報、あるいはプリンタ３３の動作を制御している制御基板からの印字開始、印字中、印字終了の情報に基いて、ＬＥＤ１７の発光状態を点灯、消灯、点滅させることができる。
なお、点滅間隔の変更、および点灯、消灯、点滅、あるいは点滅間隔の変更を各発光色ごとに組み合わせることによってより確実に識別できるようにすることをも可能である。
【００１９】
この発明のＬＥＤ発光機能付ベゼルは、前記ＬＥＤ発光ユニット１６が、ＬＥＤ発光色を２色以上とし、１色あるいは２色以上を用いてその点灯状況により用紙有無の識別を行い、かつその他の色は、用紙の有無に優先してプリンタ機構に発生したエラー状態によりプリンタ３３の動作を制御している制御基板からのエラー信号の情報に基いて、ＬＥＤ１７の発光状態を発光色変更、点灯、消灯、あるいは点滅に切り替えるようにしても良い。
【００２０】
この発明のＬＥＤ発光機能付ベゼルは以上のように、前記ＬＥＤ導光管部材１５に取り付けたＬＥＤ発光ユニット１６を備え、ＬＥＤ発光ユニット１６の光を前記ＬＥＤ導光管部材１５の導光管１８を経由して用紙の出口位置に導き、前記用紙排出部材１の用紙の出口位置を発光させるようにしたので、用紙の出口位置が確実に認識することができ、しかも発券中である等のお知らせ機能も存分に発揮することができるようになった。
【００２１】
図９において３１は発券システムを示し、背後のトレイ３２に収納された発券シート等からなる用紙３０に、プリンタ３３において所定の印字を施すようになっている。この発明のＬＥＤ発光機能付きベゼルは、プリンタ３３の前面に取り付けられている。そして、支持部材２０の複数箇所のビス止め穴２０ａに小ビス等を用いて固定される。
使用に際しては、トレイ３２に収納された発券シート等からなる用紙３０を引き出してプリンタ３３において所定の印字を施した後、この発明のＬＥＤ発光機能付ベゼルを経由して用紙３０が排出される。
その際、用紙３０の通過がベゼル内に設けた前記フォトインタラプタ２１およびレバー２２からなる用紙検出機構で検出され、該用紙３０の検出、あるいは図示しないがプリンタ３３の用紙通路に設置されている用紙検出機構による用紙検出情報、あるいはプリンタ３３の動作を制御している制御基板からの印字開始、印字中、印字終了の情報に基いて、ＬＥＤ１７の発光状態を点灯、消灯、点滅させることができる。
【産業上の利用可能性】
【００２２】
この発明は発券システムのみならず、各種プリンタの用紙排出口に設置されるＬＥＤ発光機能付きベゼルとして有用である。
【符号の説明】
【００２３】
１ 用紙排出部材
１０ 用紙搬送部
１１ 用紙導入口
１２ 用紙送出口
１３ 空洞部
１３ａ 天板部
１４ 凹部
１５ ＬＥＤ導光管部材
１５ａ ＬＥＤ発光ユニット収納部
１５ｂ 導光管収納部
１５ｃ 取付部材
１５ｅ 取付部材
１６ ＬＥＤ発光ユニット
１７ ＬＥＤ
１８ 導光管
２０ 支持部材
２０ａ ビス止め穴
２１ フォトインタラプタ
２２ レバー
２３ 軸着部分
２４ アーム
２５ 取付ピン
２６ コイルバネ
３０ 用紙
３１ 発券システム
３２ トレイ
３３ プリンタ
【図１】
0005685009.tif 000002
【図２】
0005685009.tif 000003
【図３】
0005685009.tif 000004
【図４】
0005685009.tif 000005
【図５】
0005685009.tif 000006
【図６】
0005685009.tif 000007
【図７】
0005685009.tif 000008
【図８】
0005685009.tif 000009
【図９】
0005685009.tif 000010